(57)【要約】【課題】  同一形状の支持脚を使用して、角度を付けての配列時およびネスティング時の支持脚同士の干渉を防止しうるようにしたスタンドボードを提供する。【解決手段】  パネル体１と、該パネル体１の前面および後面方向に突出するように該パネル体１の下部に設けられた複数対の支持脚２ａ、２ｂ、２ｃ、２ｄとを備えたスタンドボードにおいて、支持脚２ａ、２ｂ、２ｃ、２ｄのうち前面側に取付けられた支持脚２ａ、２ｂを、後面側に取付けられた支持脚２ｃ、２ｄよりも前記パネル体１の平面視における中央寄りに配置する。【選択図】図２
2005139817.tif 000002
【特許請求の範囲】
【請求項１】
パネル体と、該パネル体の前面および後面方向に突出するように該パネル体の下部に設けられた複数対の支持脚とを備えたスタンドボードにおいて、
前記支持脚のうち前面側に取付けられた支持脚を、後面側に取付けられた支持脚よりも前記パネル体の平面視における中央寄りに配置したことを特徴とするスタンドボード。
【請求項２】
後面側に突出して取付けられた支持脚を、パネル体の両側端部に配設したことを特徴とする請求項１記載のスタンドボード。
【請求項３】
パネル体の前面と両側端面とのなす角部を面取りして、傾斜面を形成したことを特徴とする請求項１または２記載のスタンドボード。
【請求項４】
支持脚の下端部にキャスタを取付けたことを特徴とする請求項１〜３のいずれか１項に記載の棚板付きテーブル。
【請求項５】
パネル体の表面を筆記可能面としたことを特徴とする請求項１〜４のいずれか１項に記載のスタンドボード。
【請求項６】
パネル体の表面を筆記可能面とし、該パネル体の下端部に粉受けを設け、該粉受けの両端面に、該パネル体の傾斜面と同一面をなす傾斜面を形成したことを特徴とする請求項１〜４のいずれか１項に記載のスタンドボード。
【発明の詳細な説明】
【技術分野】
【０００１】
本発明は、衝立、間仕切り、黒板、ホワイトボード、ピンナップボード等に利用されるスタンドボードに関する。
【背景技術】
【０００２】
例えば、オフィスのミーティングスペースを確保するため、パネル体の下端部に脚を設けたスタンドボードを間仕切りとして利用することが知られている。
図４は、従来のスタンドボードの一例を示す平面図である。同図に示すように、スタンドボード(Ａ)は、パネル体(１)の前面および後面方向に突出するようにパネル体(１)の下部に２対の支持脚(２)が設けられている。この支持脚(２)は、スタンドボード(Ａ)の安定化のためパネル体(１)の両側端部寄りに取付けられている。
【０００３】
ところが、このような支持脚の配置構造では、図４に示すように、複数のスタンドボード(Ａ)をある角度を付けて並べて配置した場合、隣り合う支持脚(２)(２)同士が干渉するため、それ以上の小さな角度での設置が不能になるという問題がある。
【０００４】
そこで、これを解決する構造のパネル状家具として、前面側と後面側とで支持脚の床面からの高さを違えて取付けた構造のものが提案されている（例えば、特許文献１参照）。この特許文献１に記載されているパネル状家具は、パネル体の下端部に、平面から見てパネル体の前後面に突出する脚を、床面からの高さを前後で異ならせて取付けた構成のものである。
【特許文献１】特開平１１−２５３２５７号公報（図６）
【発明の開示】
【発明が解決しようとする課題】
【０００５】
しかし、上記従来技術では、床面からの高さや水平部分の長さの異なる２種類の支持脚を製造しなければならず、コストアップは免れない。また、パネル体の前後の支持脚が相対向する位置に取付けられているため、スタンドボードを前後方向に重ね合わせて収納する、いわゆるネスティング時に前後の支持脚同士が干渉し、パネル体同士を近接させてコンパクトにネスティングできないという課題もある。
【０００６】
本発明は、従来の技術が有する上記のような問題点に鑑み、同一形状の支持脚を使用して、角度を付けての配列時およびネスティング時の支持脚同士の干渉を防止しうるようにしたスタンドボードを提供することを目的としている。
【課題を解決するための手段】
【０００７】
本発明によると、上記課題は、次のようにして解決される。
(１)  パネル体と、該パネル体の前面および後面方向に突出するように該パネル体の下部に設けられた複数対の支持脚とを備えたスタンドボードにおいて、前記支持脚のうち前面側に取付けられた支持脚を、後面側に取付けられた支持脚よりも前記パネル体の平面視における中央寄りに配置する。
【０００８】
(２)  上記(１)項において、後面側に突出して取付けられた支持脚を、パネル体の両側端部に配設する。
【０００９】
(３)  上記(１)または(２)項において、パネル体の前面と両側端面とのなす角部を面取りして、傾斜面を形成する。
【００１０】
(４)  上記(１)〜(３)項のいずれかにおいて、支持脚の下端部にキャスタを取付ける。
【００１１】
(５)  上記請求項(１)〜(４)項のいずれかにおいて、パネル体の表面を筆記可能面とする。
【００１２】
(６)  上記(１)〜(４)項のいずれかにおいて、パネル体の表面を筆記可能面とし、該パネル体の下端部に粉受けを設け、該粉受けの両端面に該パネル体の傾斜面と同一面をなす傾斜面を形成する。
【発明の効果】
【００１３】
本発明によると、次のような効果を奏することができる。
(ａ)請求項１記載の発明によると、前面側に取付けられた支持脚を後面側に取付けられた支持脚よりもパネル体の中央寄りに配置したので、複数のスタンドボードを所定の角度で前方向に曲げて配列する場合、隣り合う前面側の支持脚同士が干渉することが避けられるとともに、ネスティング時には同じ位置の支持脚が前後に重なり合い、コンパクトなネスティングが可能となる。
【００１４】
(ｂ)請求項２記載の発明によると、パネル体支持が安定する。
【００１５】
(ｃ)請求項３記載の発明によると、パネル体の角部に傾斜面を形成したので、複数のスタンドボードを所定の角度をなして並べる際に、テーパ面同士が面接触し、スタンドボード間に隙間が生じることなく体裁よく配列できる。
【００１６】
(ｄ)請求項４記載の発明によると、支持脚の下端部にキャスタを取付けたので、スタンドボードの移動、配列およびネスティングが容易である。
【００１７】
(ｅ)請求項５記載の発明によると、パネル体の表面を筆記可能面としたので、スタンドボードを黒板、ホワイトボード等に利用できる。
【００１８】
(ｆ)請求項６記載の発明によると、パネル体の下端部に設けた粉受けの両端面にパネル体の傾斜面と同一面をなす傾斜面を形成したので、粉受け間に隙間が生じることなく体裁よくスタンドボードを配列できる。
【発明を実施するための最良の形態】
【００１９】
以下、本発明の一実施形態を，図面に基づいて説明する。
図１は、本発明の一実施形態を備えるスタンドボードの配置状態を示す斜視図、図２は、同上の平面図である。
【００２０】
同図に示すように、このスタンドボード(Ａ)は、パネル体(１)と、このパネル体(１)の下端部に取付けられた４本の支持脚(2a)(2b)(2c)(2d)とを備えている。なお、図示のスタンドボードは、パネル体(１)がホワイトボードの例であって、パネル体(１)の上部にはペーパークリップ(３)、下部には粉受け(４)が設けられている。
【００２１】
パネル体(１)に取付けられた前後の支持脚(2a)と(2c)、および支持脚(2b)と(2d)が対をなし、各々がパネル体(１)の両側端部寄りに設けられている。パネル体(１)の前面(スタンドボードで仕切られた室内側に向く面）(1a)の方向に突出する支持脚(2a)(2b)は前方に突出し、後面(スタンドボードで仕切られた室外側に向く面）(1b)の方向に突出する支持脚(2c)(2d)は後方に突出している。各支持脚(2a)(2b)(2c)(2d)は、上端の垂直部(５)から斜めに前方または後方に突出する傾斜部(６)を介して下端の垂直部(７)に至る形状であり、上端の垂直部(５)が粉受け(４)に取付けられ、下端の垂直部(７)にキャスタ(８)が取付けられている。全ての支持脚(2a)(2b)(2c)(2d)は同一形状である。
【００２２】
図２に示すように、パネル体(１)の後面(1b)側の支持脚(2c)(2d)はパネル体(１)の両側端付近に取付けられ、前面(1a)側の支持脚(2a)(2b)は後面(1b)側の支持脚(2c)(2d)よりパネル体(１)の平面視中央寄りに取付けられている。スタンドボード(Ａ)をこのように構成することにより、図２に示すように、複数のスタンドボード(Ａ)(Ａ)を所定の角度で内方向に曲げて配列する場合、相当に大きく内方に曲げて配列しない限り、隣り合うパネル体(１)(１)の前面(1a)(1a)側の支持脚(2a)と(2b)同士が干渉することが避けられる。前面側の支持脚(2a)(2b)は、スタンドボードの安定を損なわない限り、できるだけパネル体(１)の中央寄りに取付けると、その分スタンドボード(Ａ)の内方への曲げ角度を大きくとることができる。
【００２３】
図２に示すように、パネル体(１)の両側端部の角部を面取りして所定角度の傾斜面(９)を形成している。これにより、図２に示すように、スタンドボード(Ａ)を曲げて配列する場合、傾斜面(９)同士が面接触し（傾斜面がない場合は線接触）、スタンドボード間に隙間が生じることなく配列できる。また、スタンドボードの配列角度が予め決まっている場合は、傾斜面(９)をその配列角度に合わせた傾斜角度に形成しておくことにより、傾斜面(９)同士を密着させると自動的にスタンドボードの配列角度が決まるので、スタンドボードの配列が容易に行える。
【００２４】
なお、粉受け(４)の両端角部にもパネル体(１)の傾斜面(９)と同一面をなす傾斜面(10)を形成しておくと、隣接する粉受け(４)(４)間にも隙間が生じることを防止できる。これらの傾斜面(９)(10)は、パネル体(１)および粉受け(４)の前後両面の角部に形成してもよいが、スタンドボード(Ａ)の曲げ方向である前面側にのみ形成した構成でもよい。
【００２５】
図３は、スタンドボードを収納時に前後方向に重ね合わせた、いわゆるネスティング状態を示している。同図に示すように、前面の支持脚(2a)(2b)と後面の支持脚(2c)(2d)の取付け位置がずれているため、ネスティング時には同じ位置の支持脚(2a)・・、支持脚(2b)・・、支持脚(2c)・・、支持脚(2d)・・が、整然と干渉することなく互いに重なり合い、これによりコンパクトなネスティングが可能となる。
【図面の簡単な説明】
【００２６】
【図１】本発明の一実施形態であるスタンドボードの配列状態の斜視図である。
【図２】同じく、平面図である。
【図３】同じく、ネスティング時の斜視図である。
【図４】従来のスタンドボードの配列状態の平面図である。
【符号の説明】
【００２７】
(１)パネル体
(2a)(2b)(2c)(2d)支持脚
(３)ペーパークリップ
(４)粉受け
(５)垂直部
(６)傾斜部
(７)垂直部
(８)キャスタ
(９)傾斜面
(10)傾斜面
(Ａ)スタンドボード
【図１】
2005139817.tif 000003
【図２】
2005139817.tif 000004
【図３】
2005139817.tif 000005
【図４】
2005139817.tif 000006